(57)【要約】【課題】最尤復号における信号のエラーレートを改善する。【解決手段】記録再生などで歪んだデジタル信号は、連続したパターンによって、各パターン独特の歪み方をすることを考慮し、論理回路３１ａ〜３３ｇにより信号のパターンを分類し、分類パターン毎の信号の平均を信号電圧平均回路２１ａ〜２３ｇで求め、セレクタ４１〜４３でパターンに応じ切り換えて標準電圧計算回路１７に送り、基準電圧を変化させる。遅延回路１０９ｃにより、後段の最尤復号回路で復号するための信号を基準電圧と同期させる。【選択図】  図３
2005012557.tif 000002
【特許請求の範囲】
【請求項１】
入力信号のサンプル毎の信号電圧と各復号値に対応する目標信号電圧との誤差に基づいて元のディジタルデータを推定する最尤復号回路と、
上記入力信号に基づいて上記各復号値毎の目標信号電圧を生成して上記最尤復号回路に送る基準電圧生成回路部とを有し、
上記基準電圧生成回路部は、
上記入力信号から元のデジタルデータ列を仮に復号する仮復号手段と、
信号列のうちの処理対象となる中央サンプルの復号値とその前後複数サンプルの復号値の組合せパターンの種類数だけ設けられ、各パターン毎に中央サンプルの復号値に対応する信号の平均電圧を計算する第１の信号電圧平均手段と、
各復号値に対応する信号の上記パターンによらない平均電圧を計算する第２の信号電圧平均手段と、
上記第１の信号電圧平均手段の出力の各パターン毎の中央サンプルの復号値に対応する信号の平均信号電圧が入力され、各パターンに応じた平均信号電圧を選択して出力する選択手段と、
上記入力信号のエンベロープを検出して各復号値毎の信号電圧を出力するエンベロープ検出手段と、
上記エンベロープ検出手段からの出力と、上記第２の信号電圧平均手段からの出力と、上記選択手段からの出力とが入力され、エンベロープ電圧の変化に応じかつパターン毎の誤差を補正した信号の検出電圧標準値を計算し、復号値毎に目標信号電圧を出力する標準電圧計算手段とを備えてなる
ことを特徴とする信号復号装置。
【請求項２】
上記基準電圧生成回路部での処理時間に等しい遅延時間を有し、上記入力信号を遅延して上記最尤復号回路に送り、上記基準電圧生成回路部からの目標信号電圧の出力タイミングに合わせるための遅延手段を有することを特徴とする請求項１記載の信号復号装置。
【請求項３】
上記第１、第２の信号電圧平均手段として、ＩＩＲ型ローパスフィルタを用いることを特徴とする請求項１記載の信号復号装置。
【請求項４】
上記第１の信号電圧平均手段の平均化時定数と上記第２の信号電圧平均手段の平均化時定数とを等しくとることを特徴とする請求項２記載の信号復号装置。
【請求項５】
上記エンベロープ検出手段の平均化時定数が、上記第２の信号電圧平均手段の平均化時定数の１／１０以下とすることを特徴とする請求項２記載の信号復号装置。
【請求項６】
上記中央サンプル及びその前後のサンプルを含む連続するＮサンプル（Ｎは３以上の整数）からなるＮサンプルの復号値で上記パターン分けをすることを特徴とする請求項１記載の信号復号装置。
【請求項７】
上記中央サンプルと、その前後の奇数番目のサンプルとからなるＮサンプルの復号値で上記パターン分けをすることを特徴とする請求項１記載の信号復号装置。
【請求項８】
上記入力信号は、ＰＲ（パーシャルレスポンス）等化波形信号であり、上記第１の信号電圧平均手段は、上記Ｎサンプルの復号値の組合せパターンのうちパターンが存在しないものについて、中央サンプルの復号値が同じパターンの中から最も近似したパターンを用いることを特徴とする請求項１記載の信号復号装置。
【請求項９】
上記入力信号は、ＰＲ（パーシャルレスポンス）等化波形信号であり、上記第１の信号電圧平均手段は、上記Ｎサンプルの復号値の組合せパターンのうちパターンが存在しないものの平均電圧として、上記第２の信号電圧平均手段からの中央サンプルの復号値が同じ平均電圧を用いることを特徴とする請求項１記載の信号復号装置。
【請求項１０】
入力信号のサンプル毎の信号電圧と各復号値に対応する目標信号電圧との誤差に基づいて元のディジタルデータを推定する最尤復号工程と、
上記入力信号に基づいて上記各復号値毎の目標信号電圧を生成して上記最尤復号回路に送る基準電圧生成工程とを有し、
上記基準電圧生成工程は、
上記入力信号から元のデジタルデータ列を仮に復号する仮復号工程と、
信号列のうちの処理対象となる中央サンプルの復号値とその前後複数サンプルの復号値の組合せパターンの種類数だけ設けられ、各パターン毎に中央サンプルの復号値に対応する信号の平均電圧を計算する第１の信号電圧平均工程と、
各復号値に対応する信号の上記パターンによらない平均電圧を計算する第２の信号電圧平均工程と、
上記第１の信号電圧平均工程の出力の各パターン毎の中央サンプルの復号値に対応する信号の平均信号電圧が入力され、各パターンに応じた平均信号電圧を選択して出力する選択工程と、
上記入力信号のエンベロープを検出して各復号値毎の信号電圧を出力するエンベロープ検出工程と、
上記エンベロープ検出工程の出力と、上記第２の信号電圧平均工程の出力と、上記選択工程の出力とが入力され、エンベロープ電圧の変化に応じかつパターン毎の誤差を補正した信号の検出電圧標準値を計算し、復号値毎に目標信号電圧を出力する標準電圧計算工程とを備えてなる
ことを特徴とする信号復号方法。
【請求項１１】
入力信号のサンプル毎の信号電圧と各復号値に対応する目標信号電圧との誤差に基づいて元のディジタルデータを推定する最尤復号回路の前段に設けられ、上記入力信号に基づいて上記各復号値毎の目標信号電圧を生成して上記最尤復号回路に送る基準電圧生成装置であって、
上記入力信号から元のデジタルデータ列を仮に復号する仮復号手段と、
信号列のうちの処理対象となる中央サンプルの復号値とその前後複数サンプルの復号値の組合せパターンの種類数だけ設けられ、各パターン毎に中央サンプルの復号値に対応する信号の平均電圧を計算する第１の信号電圧平均手段と、
各復号値に対応する信号の上記パターンによらない平均電圧を計算する第２の信号電圧平均手段と、
上記第１の信号電圧平均手段の出力の各パターン毎の中央サンプルの復号値に対応する信号の平均信号電圧が入力され、各パターンに応じた平均信号電圧を選択して出力する選択手段と、
上記入力信号のエンベロープを検出して各復号値毎の信号電圧を出力するエンベロープ検出手段と、
上記エンベロープ検出手段からの出力と、上記第２の信号電圧平均手段からの出力と、上記選択手段からの出力とが入力され、エンベロープ電圧の変化に応じかつパターン毎の誤差を補正した信号の検出電圧標準値を計算し、復号値毎に目標信号電圧を出力する標準電圧計算手段と
を有してなることを特徴とする基準電圧生成装置。
【発明の詳細な説明】
【０００１】
【発明の属する技術分野】
本発明は、信号復号装置及び方法並びに基準電圧生成装置に関し、特に、入力信号のサンプル毎の信号電圧と各復号値に対応する目標信号電圧との誤差に基づいて元のディジタルデータを推定する最尤復号に適用される信号復号装置及び方法並びに基準電圧生成装置に関する。
【０００２】
【従来の技術】
一般に、ディジタル信号が記録再生系または伝送系等のチャネルを経由すると、チャネルの特性により波形が歪む。そのため信号の復号の際にはチャネルの特性をキャンセルする特性のフィルタ、いわゆる等化フィルタにより、信号の歪を取り除く処理、いわゆる等化処理が行われる。
【０００３】
もし、図１７に示すように、記録再生系または伝送系等のチャネル１２１の特性が信号によらず一定の周波数特性を示すような線形な歪だけを持つものであれば、チャネル１２１を経由することによって歪まされた信号は、チャネル特性と逆の特性をもつフィルタ（線形等化フィルタ）である等化回路１２２を通すことで歪が取り除かれた信号に補正される。すなわち、線形歪は全ての信号パターンに同じように作用しているので、チャネル特性をキャンセルしてナイキスト規準特性にする等化特性を有する等価回路１２２を通すことで補正できる。
【０００４】
しかし歪は線形なものだけではなく非線形なものも含まれる。非線形歪として、信号のパターンによってチャネルの特性が変化するように見えるものがある。
【０００５】
すなわち、図１８に示す例では、チャネル１２６が非線形の特性を有しており、この非線形特性を有するチャネル１２６を経由することにより生ずる非線形歪は信号パターンにより歪の生じ方が異なるので、等化回路１２７によって平均的チャネル特性をキャンセルするだけでは、パターン毎の歪は取り除けない。
【０００６】
図１９のＡ〜Ｇに非線形歪の例を示す。これは３値検出となるＰＲ４（パーシャルレスポンス、クラス４）の等化波形の実測例であり、約１６万サンプルのデータを１サンプル毎にデコードしようとするサンプルとその前後サンプル、計３サンプルの復号値パターンで分類し、平均を取ったものである。具体的には、あるサンプルの−１／０／１を判定する際に、その前後のサンプルの復号値に依存してその（中央）サンプルの−１／０／１となる電圧の平均値がずれていることがわかる。黒い横線はパターン分けしない全サンプルの平均電圧で、復号値０のレベルが０で復号値＋１と−１のレベルの絶対値が等しくなるように正負の平均をとったものである。
【０００７】
この図１９の例によると、最大２０％ほど、全体平均からずれているケースがある。例えば図１９のＡは前サンプル復号値が０で後サンプル復号値が−１のケースであるが、該当サンプル復号値が１と０の場合はマイナス方向に１２％ほど、−１の場合はプラス方向に２０％ほど動いており、結果として復号値０と−１の間隔が標準の６８％しかない。このパターンにおける誤り率は悪い。
【０００８】
この図１９に示す解析したデータにおいて、線形等化は精度の良い適応等化により十分になされており、この変動分はパターンに依存する非線形成分と考えてよい。例えば上述した図１９のＡのパターンは、前サンプルが０で後サンプルが−１であるから、上下（電圧）反転すると、前サンプルが０で後サンプルが１となり、左右（時間）反転すると前サンプルが−１で後サンプルが０となるが、復号値パターンでは、上下（電圧）反転（前サンプルが０で後サンプルが１）の場合に図１９のＥのパターン、左右（時間）反転（前サンプルが−１で後サンプルが０）の場合に図１９のＢのパターンとなり、それぞれ図１９のＡのパターンの上下反転パターン、左右反転パターンにはなっていないことが明らかである。これも歪が非線形であることを示している。
【０００９】
なお、これらのパターン依存歪は個体差がある。つまり装置個々により傾向が異なる。
【００１０】
例えば磁気記録再生系の場合、記録密度や記録再生の周波数が上昇するにつれ歪の問題は大きくなってきており、このような非線形歪を補正することが必要とされてきている。
【００１１】
また、特許文献２には、データパターンによる隣接ビット間の符号間干渉量の違いにより起こる信号波形の振幅低下の度合を、そのビット自体に補正を行うことができるデータ弁別回路が開示されている。
【００１２】
さらに、特許文献３には、上下非対称な交流アナログ信号の基準レベルの直流オフセット成分も考慮して補正を行い、正しい波形整形が可能は波形整形回路が開示されている。
【００１３】
【特許文献１】
特開平６−７７７６７号公報
【特許文献２】
特開平７−１１１０４２号公報
【特許文献３】
特開平８−２５５３０３号公報
【００１４】
【発明が解決しようとする課題】
ところで、上記特許文献１〜３に開示された技術においては、記録再生系の非線形特性により歪んだ信号波形を適応的に補正しているが、ビタビ復号器等の最尤復号回路により最尤復号を行わせる場合には、エラーレート低減のために必ずしも信号自体を補正することが最適なものであるとは限らない。また、復号のための検出基準値そのものが入力波形で変動することによる影響が回避できない。
【００１５】
本発明は、上述したような実情に鑑みてなされたものであり、ビタビ復号器等の最尤復号回路により最尤復号を行わせる場合に適用して好ましい基準電圧生成装置、並びにこの基準電圧生成を用いた信号復号装置及び方法の提供を目的とする。
【００１６】
【課題を解決するための手段】
本発明に係る誤り信号復号装置は、入力信号のサンプル毎の信号電圧と各復号値に対応する目標信号電圧との誤差に基づいて元のディジタルデータを推定する最尤復号回路と、上記入力信号に基づいて上記各復号値毎の目標信号電圧を生成して上記最尤復号回路に送る基準電圧生成回路部とを有し、上記基準電圧生成回路部は、上記入力信号から元のデジタルデータ列を仮に復号する仮復号手段と、信号列のうちの処理対象となる中央サンプルの（仮復号による）復号値とその前後複数サンプルの復号値の組合せパターンの種類数だけ設けられ、各パターン毎に中央サンプルの復号値に対応する信号の平均電圧を計算する第１の信号電圧平均手段と、各復号値に対応する信号の上記パターンによらない平均電圧を計算する第２の信号電圧平均手段と、上記第１の信号電圧平均手段の出力の各パターン毎の中央サンプルの復号値に対応する信号の平均信号電圧が入力され、各パターンに応じた平均信号電圧を選択して出力する選択手段と、上記入力信号のエンベロープを検出して各復号値毎の信号電圧を出力するエンベロープ検出手段と、上記エンベロープ検出手段からの出力と、上記第２の信号電圧平均手段からの出力と、上記選択手段からの出力とが入力され、エンベロープ電圧の変化に応じかつパターン毎の誤差を補正した信号の検出電圧標準値を計算し、復号値毎に目標信号電圧を出力する標準電圧計算手段とを備えてなることにより、上述の課題を解決する。
【００１７】
ここで、上記基準電圧生成回路部での処理時間に等しい遅延時間を有し、上記入力信号を遅延して上記最尤復号回路に送り、上記基準電圧生成回路部からの目標信号電圧の出力タイミングに合わせるための遅延手段を有することが挙げられる。
【００１８】
また、上記第１、第２の信号電圧平均手段として、ＩＩＲ型ローパスフィルタを用いることが好ましい。この場合、上記第１の信号電圧平均手段の平均化時定数と上記第２の信号電圧平均手段の平均化時定数とを等しくとることが挙げられ、また、上記エンベロープ検出手段の平均化時定数が、上記第２の信号電圧平均手段の平均化時定数の１／１０以下とすることが好ましい。
【００１９】
上記中央サンプル及びその前後のサンプルを含む連続するＮサンプル（Ｎは３以上の整数）からなるＮサンプルの復号値で上記パターン分けをすることが挙げられる。また、上記中央サンプルと、その前後の奇数番目のサンプルとからなるＮサンプルの復号値で上記パターン分けをすることが挙げられる。
【００２０】
上記入力信号は、ＰＲ（パーシャルレスポンス）等化波形信号であり、上記第１の信号電圧平均手段は、上記Ｎサンプルの復号値の組合せパターンのうちパターンが存在しないものについて、中央サンプルの復号値が同じパターンの中から最も近似したパターンを用いることが挙げられる。又は、上記入力信号は、ＰＲ（パーシャルレスポンス）等化波形信号であり、上記第１の信号電圧平均手段は、上記Ｎサンプルの復号値の組合せパターンのうちパターンが存在しないものの平均電圧として、上記第２の信号電圧平均手段からの中央サンプルの復号値が同じ平均電圧を用いることが挙げられる。
【００２１】
本発明に係る信号復号方法は、入力信号のサンプル毎の信号電圧と各復号値に対応する目標信号電圧との誤差に基づいて元のディジタルデータを推定する最尤復号工程と、上記入力信号に基づいて上記各復号値毎の目標信号電圧を生成して上記最尤復号回路に送る基準電圧生成工程とを有し、上記基準電圧生成工程は、上記入力信号から元のデジタルデータ列を仮に復号する仮復号工程と、信号列のうちの処理対象となる中央サンプルの復号値とその前後複数サンプルの復号値の組合せパターンの種類数だけ設けられ、各パターン毎に中央サンプルの復号値に対応する信号の平均電圧を計算する第１の信号電圧平均工程と、各復号値に対応する信号の上記パターンによらない平均電圧を計算する第２の信号電圧平均工程と、上記第１の信号電圧平均工程の出力の各パターン毎の中央サンプルの復号値に対応する信号の平均信号電圧が入力され、各パターンに応じた平均信号電圧を選択して出力する選択工程と、上記入力信号のエンベロープを検出して各復号値毎の信号電圧を出力するエンベロープ検出工程と、上記エンベロープ検出工程の出力と、上記第２の信号電圧平均工程の出力と、上記選択工程の出力とが入力され、エンベロープ電圧の変化に応じかつパターン毎の誤差を補正した信号の検出電圧標準値を計算し、復号値毎に目標信号電圧を出力する標準電圧計算工程とを備えてなることにより、上述の課題を解決する。
【００２２】
さらに、本発明に係る基準電圧生成装置は、入力信号のサンプル毎の信号電圧と各復号値に対応する目標信号電圧との誤差に基づいて元のディジタルデータを推定する最尤復号回路の前段に設けられ、上記入力信号に基づいて上記各復号値毎の目標信号電圧を生成して上記最尤復号回路に送る基準電圧生成装置であって、上記入力信号から元のデジタルデータ列を仮に復号する仮復号手段と、信号列のうちの処理対象となる中央サンプルの復号値とその前後複数サンプルの復号値の組合せパターンの種類数だけ設けられ、各パターン毎に中央サンプルの復号値に対応する信号の平均電圧を計算する第１の信号電圧平均手段と、各復号値に対応する信号の上記パターンによらない平均電圧を計算する第２の信号電圧平均手段と、上記第１の信号電圧平均手段の出力の各パターン毎の中央サンプルの復号値に対応する信号の平均信号電圧が入力され、各パターンに応じた平均信号電圧を選択して出力する選択手段と、上記入力信号のエンベロープを検出して各復号値毎の信号電圧を出力するエンベロープ検出手段と、上記エンベロープ検出手段からの出力と、上記第２の信号電圧平均手段からの出力と、上記選択手段からの出力とが入力され、エンベロープ電圧の変化に応じかつパターン毎の誤差を補正した信号の検出電圧標準値を計算し、復号値毎に目標信号電圧を出力する標準電圧計算手段とを有してなることにより、上述の課題を解決する。
【００２３】
ここで、本願発明は、チャネル（記録再生または伝送系）を経由したために歪が加わったデジタル信号から、元のデジタルデータを推定する軟判定復号回路の前段に付加する回路であって、入力信号から元のデジタルデータ列を推定する復号回路を持ち、各復号値各々における信号の平均電圧を計算する信号電圧平均回路を持ち、信号列のうち歪を補正しようとするサンプルの復号値とその前後複数サンプルの復号値の組合せ（パターン）の種類だけ各パターン専用の信号電圧平均回路を持ち、その出力の各パターンの平均信号電圧が、復号値の種類だけの個数のセレクタのうち、パターンの中央復号値に該当するセレクタに接続され、セレクタで中央復号値以外の復号値パターンと一致したパターンの平均信号電圧が選ばれ、これらの信号に加え、パターンに関係ない復号値毎の信号電圧平均回路出力と、各復号値毎の信号平均電圧を信号電圧平均回路よりも信号電圧の変化に素早く対応するエンベロープ検出回路出力とが、標準電圧計算回路に入力され、その回路でエンベロープ電圧の変化に応じ、かつパターン毎の誤差も補正した、信号の検出電圧標準値を計算し、復号値毎に出力され、検出電圧標準値と同期するように遅延回路で遅延を調整された信号とともに、基準電圧と信号電圧として後段の最尤復号回路に供給される。
【００２４】
【発明の実施の形態】
以下、本発明に係る信号復号装置及び方法並びに基準電圧生成装置の好ましい実施の形態について、図面を参照しながら説明する。
【００２５】
以下の本実施の形態においては、磁気記録再生系への適用例について説明するが、本発明はこれに限定されるものではなく、種々の信号記録再生系や信号伝送系にも適用可能であることは勿論である。
【００２６】
磁気記録再生において、記録密度や記録再生周波数が高くなると、記録信号パターンの組合せで再生信号の歪み方が異なるような、一種の非線形歪が大きくなる。これは線形の等化器では等化できず、パターンによって等化器特性を変化させなくては対応できない。
【００２７】
一方、磁気記録再生等において、ビタビ復号、トレリス復号と呼ばれる最尤復号（検出）が知られている。この最尤復号（検出）は、信号電圧が、復号する各目標レベル（例えばＰＲ４等化波形の場合３値の復号レベルとなる）だったとしたら各々どのくらいの誤差になるかを計算し、それを連続した複数サンプルの遷移から最も誤差の総和（２乗和）が少ない遷移を選ぶことで、１サンプル毎に復号するのに比べ誤り率を大幅に改善する手法である。
【００２８】
これは信号と、復号値の種類分（ＰＲ４なら３）の目標レベルが必要である。例えば磁気記録の場合、メディアとヘッドの当りやメディア上の欠陥などのため再生レベルは変化している。そのため、目標値は再生レベルの変化を忠実に追う必要があり、この目標値の精度によって誤り率は異なってくる。
【００２９】
そこで、最尤復号の目標レベルを、再生レベルの変化に忠実なだけでなく、パターンによる信号電圧変化にもサンプル毎に合わせることが重要である。言いかえれば、波形の電圧誤差は、その前後の波形パターンに依存した傾向をもつことに目をつけ、パターンに応じそのパターンの誤差電圧を最尤復号の基準電圧とすることである。
【００３０】
図１は、本発明の実施の形態が適用されるディジタルＶＴＲ等の磁気記録再生装置の再生系の構成例を示すブロック回路図である。
【００３１】
この図１において、回転ドラムに設けられた磁気ヘッド１０１からの再生信号がヘッドアンプ１０２で増幅され、ロータリートランス１０３を介して前置等化器（プリイコライザ）１０５に送られる。ここで、磁気ヘッド１０１、ヘッドアンプ１０２、ロータリートランス１０３の一次コイル側がドラム内部に設けられている。前置等化器１０５はアナログ等化器であり、後段のＰＬＬ（位相ロックループ）回路１０６でクロック再生できる程度にアナログ等化処理が施される。ＰＬＬ回路１０６では再生信号のチャネルクロックＣＫが再生され、このチャネルクロックＣＫは、Ａ／Ｄ変換器１０７のみならず、これ以降のほぼ全ての回路ブロックに送られるが、図では省略している。Ａ／Ｄ変換器１０７では、前置等化器１０５からのアナログ信号を、ＰＬＬ回路１０６からのチャネルクロックＣＫによりサンプリング（チャネルクロックレートサンプリング）し、ディジタル信号に変換して、精度の高い適応等化器１０８に送っている。この適応等化器１０８では、上記前置等化器１０５よりも精緻な等化がなされるが、基本的には線形の等化である。適応等化器１０８からの出力信号は、再生されるべきチャネルクロックのタイミング毎に値を有するデジタル信号であり、必要な電圧分解能を持たせるため、例えば１つのサンプルが８ビットの１／０信号から成る信号などになっている。
【００３２】
この適応等化器１０８からの出力信号は、遅延回路１０９と、本発明の実施の形態の要部となる基準電圧生成回路１１０とに送られる。遅延回路１０９は、遅延時間が基準電圧生成回路１１０における処理時間に等しく設定されており、適応等化器１０８からの出力信号を、基準電圧生成回路１１０からの出力信号にタイミングを合わせて、ビタビ検出回路等の最尤復号回路１１２に入力させるためのものである。基準電圧生成回路１１０は、例えば後述する図３に示すような構成を有し、エンベロープ検出及びパターン別変化検出が行われ、エンベロープの変化に追従する応答性を持った最尤復号のための各目標レベルとなる信号基準レベルを出力して最尤復号回路１１２に送っている。
【００３３】
最尤復号回路１１２では、基準電圧生成回路１１０からの復号基準レベルに対する遅延回路１０９からの信号電圧の誤差を計算し、計算された誤差に基づいて、連続した複数サンプルの遷移から最も誤差の総和（２乗和）が少ない遷移を選ぶような、ビタビ復号、トレリス復号を行っている。最尤復号回路１１２からの再生データ（チャネルクロックレート）は、復調器１１３に送られて、例えば８／９変換等のデコード処理が施され、デコードされた再生データは、エラー訂正回路１１４に送られてエラー訂正処理が施される。
【００３４】
ここで、ビタビ復号（検出）の原理について、図２を参照しながら簡単に説明する。
【００３５】
図２のＡは記録データａ（ｉ）  を示しており、この記録データａ（ｉ）  に対して、パーシャルレスポンスＰＲ（１，−１）用のプリコード処理を施すことにより、図２のＢに示すような記録信号ｂ（ｉ）  を得る。この記録信号ｂ（ｉ）  は、
ｂ（ｉ）  ＝  ｂ（ｉ−１）＋ａ（ｉ）
ただし、“＋”は排他的論理和
と表され、これはいわゆるＮＲＺＩ変調と同じ処理である。この記録信号ｂ（ｉ）  を例えば磁気記録再生してＰＲ（１，−１）等化した信号ｃ（ｉ）  は、検出点誤差がないような理想的な場合には、図２のＣのようになる。この等化信号ｃ（ｉ）  のクロックタイミングでの値は、ｂ（ｉ）−ｂ（ｉ−１）であり、“１”，“０”，“−１”の３値をとる。また、状態遷移は図２のＤのようになる。この図２のＤに示す状態の“１”，“０”は、図２のＢの記録信号の波形レベルの“１”，“０”に相当しており、同じ状態を遷移するときの状態間の３値波形レベルは“０”、状態“１”から状態“０”に遷移する時の３値レベルは“−１”、状態“０”から状態“１”に遷移する時の３値レベルは“＋１”となる。
【００３６】
実際に記録再生（あるいは伝送）された信号を等化して得られる等化器出力信号は、チャネルの特性による波形の非線形歪を等化しきれないことから、例えば図２のＥのように波形歪が残存している場合がある。この図２のＥに示す等化器出力信号（３値波形レベル）としては、最初の点ａの波形レベルが“０．３”、次の点ｂの波形レベルが“−０．８”となった例を示している。図２のＦは、これに対応する状態遷移を示し、図２のＦの時刻ｔ０から時刻ｔ１の状態遷移が図２のＥの最初の点ａに対応し、図２のＦの時刻ｔ１から時刻ｔ２の状態遷移が図２のＥの次の点ｂに対する。なお、図２のＦにおいて、最終的に決定されたパスを太い実線で、ビタビ復号の際に比較されたパスを破線で示している。ここで、図２のＦの時刻ｔ０では、それまでの遷移等から状態“０”が確定しているものとする。
【００３７】
図２のＦの時刻ｔ０の状態“０”から時刻ｔ１に状態が遷移して、図２のＥの３値波形レベル“０．３”が得られたとき、時刻ｔ１の状態を“１”とすると、３値波形レベルは“１”になるべきであるから、“０．７”の誤差があることになる。同様に、時刻ｔ１の状態を“０”とすると、３値波形レベルは“０”になるべきであるから、“０．３”の誤差があることになる。ここまでの情報だけでは、状態“０”になるパスの方が誤差が小さいので、３値波形レベルは“０”と誤判断される虞がある。次に、時刻ｔ２に状態が遷移して、図２のＥの３値波形レベル“−０．８”が得られたとき、時刻ｔ０，ｔ１，ｔ２の各状態と誤差の和との関係を求めると、状態“０”→“１”→“１”のとき誤差の和は“１．５”、状態“０”→“０”→“１”のとき誤差の和は“２．１”となり、状態“０”→“１”→“１”の遷移の方が誤差が少なくなる。また、状態“０”→“１”→“０”のとき誤差の和は“０．９”、状態“０”→“０”→“０”のとき誤差の和は“１．１”となり、状態“０”→“１”→“０”の遷移の方が誤差が少なくなる。これらのことから、時刻ｔ１での状態は“１”の方がより確からしいことになり、最終的に“１”に確定される。なお、この時点では、時刻ｔ２の状態がまだ確定できないが、これ以降の状態遷移に対応する３値波形レベルに基づき誤差の和を計算することにより、時刻ｔ２以降の状態についても同様に確定していくことができる。具体的には、時刻ｔ２の状態は“０”に確定するが、この場合、時刻ｔ０，ｔ１，ｔ２の各状態については、状態“０”→“１”→“０”のパスと、状態“０”→“０”→“０”のパスとが比較され、状態“０”→“１”→“０”のパスが選択されたことになる。図２のＦでは、上述のような処理により、最終的に決定されたパスを太い実線で、ビタビ復号の際に比較されたパスを破線で示している。
【００３８】
ところで、このようなビタビ復号（検出）等の最尤復号の際に、等化されて得られた実際の波形レベルを見ると、前述した図１９のように、パターンによって信号電圧の変化が異なっている。
【００３９】
そこで、前記図１９と共に説明したように、信号を、復号したパターンによって分類し、各々のパターン毎にパターンの中央サンプルの電圧を平均することで、前後のパターンによって変化させられたそのサンプルの電圧の平均値が求まる。図１９の各図で３本の水平な直線は、各復号値（１／０／−１）の目標となるべき値であるが、これを目標値として後段の最尤復号器に送るよりは、パターンに応じた平均値をサンプル毎に切り換えながら送ったほうがよいことは明らかである。これが信号のエラーレートを改善する原理である。これを実現するための具体的な構成例について、以下説明する。
【００４０】
図３は、上記図１の基準電圧生成回路１１０として使用可能な本発明の実施の形態の要部となる構成を示すブロック回路図である。
【００４１】
この図３において、入力端子１１には、上記図１の適応等化器１０８からの等化出力信号が供給され、復号回路１２及び遅延回路１０９ａに送られる。遅延回路１０９ａは、これに直列に接続された遅延回路１０９ｂ、１０９ｃと共に、上記図１の遅延回路１０９を構成するものであり、遅延回路１０９ｃからの出力信号が上記図１の最尤復号回路１１２に送られる。
【００４２】
復号回路１２では、入力された等化信号の各サンプルがどの復号値に属するかを知る。この復号回路１２の出力は最終的な系全体の復号出力でなく、本発明の実施の形態の歪補正のための回路内部だけで使われる仮復号である。当然出力にはある程度の復号誤りが含まれる。復号回路１２には入出力間で遅延が何ビットか生じることから、復号出力と同期した信号を得るために、遅延回路１０９ａにより、信号を復号回路と同じだけ遅らせている。
【００４３】
こうやって得られた復号データ列から、パターンを知るために、パターンの長さマイナス１の個数（図３の例では２個）のシフトレジスタ（１サンプル遅延回路）１３、１４が設けられており、これらのシフトレジスタ１３、１４からの出力と、復号出力すなわちシフトレジスタ入力とで、パターン数個の復号データを得ることができる。遅延回路１０９ｂは、パターンの中央サンプルに同期する信号を得るために信号を遅延させるものである。図３では、復号出力すなわちシフトレジスタ入力をｄ−１、シフトレジスタ１３からの出力をｄ０、シフトレジスタ１４からの出力をｄ１としている。
【００４４】
ここで、図３の実施の形態では、例えばＰＲ４等化波形の３サンプルパターン分けを用いた例を示している。ＰＲ４の復号値は１／０／−１の３値であるが連続して取りえない組合せもあるのでパターン総数は２１通りとなる。すなわち、３値レベルの３サンプルの組合せパターンは、単純には３３＝２７通りであるが、上記図２と共に説明したＰＲ（パーシャルレスポンス）等化信号波形には、例えば（０，０，０）や（１，１，１）等の組合せが存在しないことから、等化波形信号の３サンプルの現実の組合せパターンは、図４に示すように、２１通りとなっている。この図４から明らかなように、２１通りのパターンの内訳は、中央サンプルの復号値が“−１”の７パターン、中央サンプルの復号値が“０”の７パターン、中央サンプルの復号値が“１”の７パターンである。図４では中央サンプル復号値１／０／−１のどのケースでも、同じ前後の復号値の組合せが存在しているので、前後の復号値の組合せに対し、常に中央復号値１／０／−１の平均信号電圧が存在する。
【００４５】
図３において、上述したような複数サンプルのパターン別に、各々の中央サンプル信号電圧（遅延回路１０９ｂからの等化出力信号電圧）を平均し蓄える回路をパターン数だけ設けている。すなわち、中央サンプルの復号値が“１”の場合の７パターンにそれぞれ対応する信号電圧平均回路２１ａ〜２１ｇ、中央サンプルの復号値が“０”の場合の７パターンにそれぞれに対応する信号電圧平均回路２２ａ〜２２ｇ、及び中央サンプルの復号値が“−１”の場合の７パターンにそれぞれに対応する信号電圧平均回路２３ａ〜２３ｇの２１個の回路を設けている。これによって、前後サンプルがある復号値のとき、その間の中央サンプル平均電圧がいくらになるかわかる。上記各信号電圧平均回路２１ａ〜２１ｇ、２２ａ〜２２ｇ、２３ａ〜２３ｇを、それぞれのパターン毎に有効（イネーブル）とするために、上記３サンプルの復号出力ｄ−１、ｄ０、ｄ１の論理演算を行う論理回路（一種のＡＮＤ回路）３１ａ〜３１ｇ、３２ａ〜３２ｇ、３３ａ〜３３ｇが設けられている。すなわち、例えば論理回路３１ａは、ｄ−１、ｄ０、ｄ１が（−１，１，０）のときアクティブとなるから、信号電圧平均回路２１ａが有効（イネーブル）となり、このときの遅延回路１０９ｂからの等化出力信号電圧を信号電圧平均回路２１ａが入力し、平均し蓄える。
【００４６】
同時に、前後のサンプルを参照しない信号電圧平均回路２４、２５、２６を、復号値の種類（レベル数３）だけ設けている。すなわち、中央サンプルの復号値が“０”の場合の全サンプルの信号電圧平均回路２５、及び中央サンプルの復号値が“−１”の場合の全サンプルの信号電圧平均回路２６である。これらの回路２４、２５、２６からの出力値により、パターン別平均値がどの程度ばらついているかがわかる。上記各信号電圧平均回路２４、２５、２６を中央サンプルの復号値毎に有効とするために、論理回路３４、３５、３６が設けられている。すなわち、例えば中央サンプルの復号値ｄ０が“１”のときには論理回路３４がアクティブとなって、信号電圧平均回路２４が有効（イネーブル）となり、このときの遅延回路１０９ｂからの等化出力信号電圧を入力し、平均し蓄える。
【００４７】
ここで、上記信号電圧平均回路２１ａ〜２１ｇ、２２ａ〜２２ｇ、２３ａ〜２３ｇ、２４、２５、２６は、複数サンプル（Ｎサンプル）の信号電圧の平均をとる回路であり、ＩＩＲ型ＬＰＦ（ローパスフィルタ）やＦＩＲ型ＬＰＦ等を用いることができる。ＩＩＲ型ＬＰＦの場合の構成例を図５に示す。この図５において、入力端子５１には、例えば図３の遅延回路１０９ｂからの等化出力信号電圧が入力され、１／Ｎ乗算器（減衰器あるいは割算器）５２で１／Ｎ倍され、加算器５３に送られて、出力端子５４より取り出される。加算器５３からの出力は、１サンプル遅延回路５５を介して（Ｎ−１）／Ｎ乗算器５６に送られて（Ｎ−１）／Ｎ倍され、加算器５３に送られる。例えば１６サンプル（Ｎ＝１６）の信号電圧の平均をとる場合には、１／Ｎ乗算器５２を１／１６乗算器、（Ｎ−１）／Ｎ乗算器５６を１５／１６乗算器とすればよい。
【００４８】
パターン別の信号電圧平均回路２１ａ〜２１ｇ、２２ａ〜２２ｇ、２３ａ〜２３ｇからの各パターン別平均信号電圧は、中央サンプルの復号値毎に設けられたセレクタ４１、４２、４３に入力される。このセレクタ４１、４２、４３ではシフトレジスタ１３からの中央サンプルの復号値ｄ０が、どのパターンに属しているかが、中央以外の復号値をセレクト信号として選ばれる。
【００４９】
また、信号のエンベロープ検出回路１６が設けられている。ここで作るエンベロープは復号値の種類だけの出力があり、仮復号の値で信号をより分け、各々の平均を計算する回路で、パターンによらない平均化回路である信号電圧平均回路２４、２５、２６と同じような形式の回路で実現できる。異なるのはエンベロープ検出回路１６の方が、敏感に信号レベルの変化に追従することである。エンベロープ検出回路１６は信号レベル（エンベロープ）の変化によく追従した最尤復号基準電圧を与えるということが目的であり、先の平均化回路はなるべく長い期間の平均を取りパターンによる信号電圧変化の信頼できる平均値を計算することが目的であるからである。
【００５０】
以上、エンベロープ検出１６からの出力と、信号電圧平均回路２４、２５、２６からの復号値毎の信号平均値と、信号電圧平均回路２１ａ〜２１ｇ、２２ａ〜２２ｇ、２３ａ〜２３ｇからのパターン毎の信号平均値について、３者各々復号値の種類分だけが標準電圧計算回路１７に入力される。標準電圧計算回路１７では、例えば次のような演算で標準電圧が計算される。
【００５１】
中央サンプルの復号値ｄ０  が“１”、“０”、“−１”となるときの等化器出力の平均電圧である信号電圧平均回路２４、２５、２６からの各出力電圧を、それぞれｘ（１）、ｘ（０）、ｘ（−１）とし、その属するパターンの平均電圧（セレクタ４１、４２、４３からの出力電圧）をｐ（１）、ｐ（０）、ｐ（−１）とし、エンベロープ検出１６からのエンベロープ電圧をｅ（１）、ｅ（０）、ｅ（−１）としとき、標準電圧計算回路１７からの出力の基準電圧ｙ（１）、ｙ（０）、ｙ（−１）は、
ｙ（１）＝（ｐ（１）−ｘ（０））／（ｘ（１）−ｘ（０））＊（ｅ（１）−ｅ（０））＋ｅ（０）
ｙ（０）＝ｐ（０）／｛（ｘ（１）−ｘ（−１））／２｝＊（ｅ（１）−ｅ（−１））／２＋ｅ（０）
ｙ（−１）＝（ｐ（−１）−ｘ（０））／（ｘ（−１）−ｘ（０））＊（ｅ（−１）−ｅ（０））＋ｅ（０）
のように表される。
【００５２】
これらの式は、例えばｙ（１）の式で説明すると、（ｐ（１）−ｘ（０））／（ｘ（１）−ｘ（０））で、パターン歪を含んだ平均電圧ｐ（１）は復号値０”と“１”の電圧差を１としたときのどのくらいの割合のところにあるかが求められ、それに  ｅ（１）−ｅ（０）  をかけることで現在のエンベロープｅ（１）をｅ（０）を基準としてその割合だけ動かす。最後にｅ（０）を加えることで絶対電圧にしている。ｙ（０）とｙ（−１）も同様である。
【００５３】
この計算は、シフトレジスタ１３からの中央復号値ｄ０におけるサンプルについての計算であり、それに対応する信号は図３の遅延回路１０９ｂからの出力ｓ０である。ここで、信号電圧平均回路２４、２５、２６、２１ａ〜２１ｇ、２２ａ〜２２ｇ、２３ａ〜２３ｇや、エンベロープ検出回路１６と標準電圧計算回路１７により、上記シフトレジスタ１６からの中央サンプルの復号値ｄ０  のタイミングは遅延することを考慮し、等化器出力信号を標準電圧に同期させるために、遅延回路１０９ｃにより同じだけ信号を遅らせている。
【００５４】
このようにして得られた遅延回路１０９ｃからの出力信号及び標準電圧計算回路１７からの基準電圧ｙ（１）、ｙ（０）、ｙ（−１）を、図１の最尤復号回路１１２に送って、上述したようなビタビ復号（検出）等の最尤復号（検出）を行わせている。
【００５５】
以上説明した本発明の実施の形態によれば、最尤復号の目標レベルを、再生レベルの変化に忠実なだけでなく、パターンによる信号電圧変化にもサンプル毎に合わせているため、信号のエラーレートをより改善することができる。すなわち、再生あるいは受信波形の復号デジタルデータの誤り率が減少し、実際にエラーの数は１／２〜１／１０に減少した。
【００５６】
図３、図４と共に説明した実施の形態では、例としてＰＲ４等化波形の３サンプルパターン分けを示したが、本発明は、上記実施の形態のみに限定されるものではなく、例えば５サンプルのパターン分けに適用することも容易に実現可能である。
【００５７】
図６は、ＰＲ４波形等化の５サンプルのパターン分けの例を示している。この図６の例において、パターン総数は１０５通りある。この場合、中央サンプルの復号値によって２サンプル離れたところで取り得ない復号値が異なるため、中央サンプルの復号値以外の復号値が同じパターンでも、中央サンプルの復号値次第であったりなかったりする。例えばＰＲ４の復号値は、一つおいた隣同士で１が続くこと、−１が続くことはなく、１と−１だけに着目すると（間に０がなくてもまた何個入っていても）交互にあらわれるという性質がある。従って−１のサンプルから２サンプル離れたところが−１になることはないし、０のサンプルの２つ離れた両隣がともに１やともに−１になることもない。
【００５８】
この場合、図６の例を実現する回路は図３とほぼ同様に構成できるが、この場合の図３のセレクタ２４〜２６に相当するセレクタは、パターンによっては入力が存在しない。そこで図７のように、存在しないところに他のパターンを当てはめる。当てはめるのは、最も近いパターンとしている。
【００５９】
なお、図７では、各々２つのサンプルがｘで示されているが、１／０／−１の組合せで、各ｘの位置には、（−１，  ０），  （−１，  １），  （０，  −１），  （０，  ０），  （０，  １），  （１，  −１），  （１，  ０）の７通りが入る。すなわち、図７の１つのパターンにおける２つのｘの位置に上記７パターンが入ることから、図７の１つのパターンは７パターンを表していることになる。
【００６０】
図７の例を実現するセレクタ回路は、図８のようになる。この図８のセレクタ４４、４５、４６は、上記図３のセレクタ４１、４２、４３にそれぞれ対応するものであり、セレクタ４４からは中央サンプルの復号値が“１”の場合のパターン毎の平均電圧が、セレクタ４５からは中央サンプルの復号値が“０”の場合のパターン毎の平均電圧が、セレクタ４６からは中央サンプルの復号値が“−１”の場合のパターン毎の平均電圧がそれぞれ出力され、標準電圧計算回路（図３の１７に相当）に送られる。この図８において、理論上セレクタ入力が存在しないパターンについては、図７に従って代替のパターンの平均電圧を使う。
【００６１】
ところで、上記図７の例では、パターンが存在しないところに最も近いパターンを当てはめているが、図９に示すように、パターンが存在しないところには、パターンによらない各復号値毎の平均電圧（図３の信号電圧平均回路２４、２５、２６からの出力電圧）を用いるようにしてもよい。この図９に示す例を実現するセレクタ回路は、図１０のようになる。この図１０のセレクタ４７、４８、４９は、上記図３のセレクタ４１、４２、４３にそれぞれ対応するものであり、セレクタ４７からは中央サンプルの復号値が“１”の場合のパターン毎の平均電圧が、セレクタ４８からは中央サンプルの復号値が“０”の場合のパターン毎の平均電圧が、セレクタ４９からは中央サンプルの復号値が“−１”の場合のパターン毎の平均電圧がそれぞれ出力され、標準電圧計算回路（図３の１７に相当）に送られる。
【００６２】
次に、図１１は、本発明の実施の形態に用いられるサンプルパターンの他の例として、５サンプルパターンであるが、中央から±２サンプル目を使わず、±１サンプル目と±３サンプル目を使った例を示す。パターン総数は９３通りである。この図１１の例は、特にＰＲ４等化波形にメリットがある。すなわち、ＰＲ４は別の書き方をするとＰＲ（１，０，−１）と表され、２値の信号から２ビット先のサンプルと引算をして３値の信号にすることを意味している。一つおいた隣のサンプルと演算をするので、隣のサンプルに制限されることはない。つまりデータ列において偶数番目と奇数番目の系列は独立しており、系列間で例えば−１の次に−１が来ないなどの制限はない。そのため、パターンとして±１サンプル目と±３サンプル目を使えばそれらのサンプルは中央サンプルに干渉しない。この効果として、±１サンプル目と±３サンプル目からなるパターンによって中央サンプルは制限されず、図６にあったような中央サンプル復号値によってパターンがないということが起こらない。
【００６３】
次に、図１２〜１６は、本発明の実施の形態に用いられるサンプルパターンのさらに他の例を示している。すなわち、これらの図１２〜図１６には、７サンプルパターン分けの例を示しており、これも図６の連続５サンプルパターンと同様に、中央サンプル復号値次第で、存在しないパターンがある。これらの図１２〜図１６に示したパターンの例についても、上記図７〜図１０と共に説明した方法と同様な方法で実現することができる。
【００６４】
さらに、例えば、中央サンプル及び両隣のサンプルと、中央サンプルから前後３サンプル目（±３サンプル目）のサンプルと、中央サンプルから前後５サンプル目（±５サンプル目）のサンプルとからなる７サンプルパターンを用いることが挙げられる。一般的には、ｋを自然数（ｋ＝１，２，３，・・・）とするとき、中央サンプルと、中央サンプルから前後（２ｋ−１）サンプル目、すなわち中央サンプルから±（２ｋ−１）サンプル目のサンプルからなるパターンによって中央サンプルは制限されず、図６にあったような中央サンプル復号値によってパターンがないということが起こらない。
【００６５】
以上説明したような本発明の実施の形態によれば、再生あるいは受信波形の復号デジタルデータの誤り率が減少する。実際にエラーの数は１／２〜１／１０に減少した。
【００６６】
ここで、本願発明と従来のノンリニアキャンセラーとを比較すると、従来のノンリニアキャンセラーは、記録再生系の非線形特性により歪んだ信号波形を適応的に補正しており、また、検出基準値（エンベロープ値）の入力波形による変動を考慮していないのに対し、本願発明は、検出基準値（エンベロープ値）を補正しており、また、検出基準値が入力波形で変動（振幅が減ったり全体が上がったり）するのを捉えた上で、検出基準値に非線形補正をかけているため、より適切な補正が行え、再生あるいは受信波形の復号デジタルデータの誤り率をより低減することができる。
【００６７】
なお、本発明は、上述した実施の形態のみに限定されるものではなく、本発明の実施の形態においては磁気記録再生に適用した例について説明したが、この他の記録再生系や、信号伝送系にも本発明を適用できることは勿論である。
【００６８】
【発明の効果】
本発明は、入力信号のサンプル毎の信号電圧と各復号値に対応する目標信号電圧との誤差に基づいて元のディジタルデータを推定する最尤復号の際の各復号値毎の目標信号電圧を生成するために、入力信号から元のデジタルデータ列を仮に復号し、中央サンプルの復号値とその前後複数サンプルの復号値の組合せパターン毎に中央サンプルの復号値に対応する信号の平均電圧を計算し、各復号値に対応する信号の上記パターンによらない平均電圧を計算し、上記各パターン毎の中央サンプルの復号値に対応する信号の平均信号電圧が入力され、各パターンに応じた平均信号電圧を選択して出力し、上記入力信号のエンベロープを検出して各復号値毎の信号電圧を出力し、このエンベロープ検出出力と、上記各パターン毎の平均電圧と、上記選択された出力とが入力され、エンベロープ電圧の変化に応じかつパターン毎の誤差を補正した信号の検出電圧標準値を計算し、復号値毎に目標信号電圧を出力することにより、再生あるいは受信波形の復号デジタルデータの誤り率を減少させることができる。
【図面の簡単な説明】
【図１】本発明の実施の形態が適用されるディジタルＶＴＲ等の磁気記録再生装置の再生系の構成例を示すブロック回路図である。
【図２】ビタビ復号（検出）の原理を説明するためのタイミングチャートである。
【図３】図１の基準電圧生成回路１１０として使用可能な本発明の実施の形態の要部となる回路構成の一例を示すブロック回路図である。
【図４】ＰＲ４等化波形の３サンプルパターンの例を示す図である。
【図５】信号電圧平均回路として使用可能なＩＩＲ型ＬＰＦの場合の構成例を示すブロック回路図である。
【図６】ＰＲ４波形等化の５サンプルのパターン分けの例を示す図である。
【図７】ＰＲ４波形等化の５サンプルのパターン分けにおけるパターンが存在しないところに最も近いパターンを当てはめた例を示す図である。
【図８】図７のパターン分けの例を実現するセレクタ回路の構成例を示すブロック回路図である。
【図９】ＰＲ４波形等化の５サンプルのパターン分けにおけるパターンが存在しないところの電圧をパターンによらない各復号値毎の平均電圧とした例を示す図である。
【図１０】図９のパターン分けの例を実現するセレクタ回路の構成例を示すブロック回路図である。
【図１１】ＰＲ４波形等化のサンプルパターンの中央から±１サンプル目と±３サンプル目を使った５サンプルのパターン分けの例を示す図である。
【図１２】７サンプルパターン分けの例の第１の部分を示す図である。
【図１３】７サンプルパターン分けの例の第２の部分を示す図である。
【図１４】７サンプルパターン分けの例の第３の部分を示す図である。
【図１５】７サンプルパターン分けの例の第４の部分を示す図である。
【図１６】７サンプルパターン分けの例の第５の部分を示す図である。
【図１７】線形な歪だけを持つ記録再生系または伝送系等のチャネルを経由した信号の波形等化を説明するための図である。
【図１８】非線形歪を持つ記録再生系または伝送系等のチャネルを経由した信号の波形等化を説明するための図である。
【図１９】３値検出となるＰＲ４（パーシャルレスポンス、クラス４）の等化波形の実測例における非線形歪を示す図である。
【符号の説明】
１  復号回路、  １３，１４  １サンプル遅延回路、  １６  エンベロープ検出回路、  １７  標準電圧計算回路、  ２１ａ〜２３ｇ，２４〜２６  信号電圧平均回路、  ３１ａ〜３３ｇ，３４〜３６  論理回路、  ４１〜４９  セレクタ、  １０８  適応等化回路、  １０９，１０９ａ〜１０９ｃ  遅延回路、  １１０  基準電圧生成回路、  １１２  最尤復号回路
【図１】
2005012557.tif 000003
【図２】
2005012557.tif 000004
【図３】
2005012557.tif 000005
【図４】
2005012557.tif 000006
【図５】
2005012557.tif 000007
【図６】
2005012557.tif 000008
【図７】
2005012557.tif 000009
【図８】
2005012557.tif 000010
【図９】
2005012557.tif 000011
【図１０】
2005012557.tif 000012
【図１１】
2005012557.tif 000013
【図１２】
2005012557.tif 000014
【図１３】
2005012557.tif 000015
【図１４】
2005012557.tif 000016
【図１５】
2005012557.tif 000017
【図１６】
2005012557.tif 000018
【図１７】
2005012557.tif 000019
【図１８】
2005012557.tif 000020
【図１９】
2005012557.tif 000021